(57)【要約】【課題】基板類の抜き差しを容易にしつつ、電波ノイズのシールドも達成可能な画像形成装置を提供する。【解決手段】画像形成装置本体(2)に配置され、所望の画像を形成すべく内部機器に電力を供給する電源ボックスユニット(30)を具備し、ユニットは、電気回路が形成された基板類を収納する金属製の収納部(40)と、装置本体の外部と収納部とを区画し、基板類を外部から容易に抜き差しすべく収納部に対して少なくとも１点で締結され、収納部を開閉可能な金属製の蓋部材(50)と、蓋部材と収納部との間に介装され、蓋部材と収納部との電気的な接地を確保する金属製のアースボンディング部(60)とを含む。【選択図】図５
2008185773.tif 000002
【特許請求の範囲】
【請求項１】
画像形成装置本体に配置され、所望の画像を形成すべく内部機器に電力を供給する電源ボックスユニットを具備し、
該ユニットは、
電気回路が形成された基板類を収納する金属製の収納部と、
前記装置本体の外部と前記収納部とを区画し、前記基板類を前記外部から容易に抜き差しすべく前記収納部に対して少なくとも１点で締結され、前記収納部を開閉可能な金属製の蓋部材と、
該蓋部材と前記収納部との間に介装され、前記蓋部材と前記収納部との電気的な接地を確保する金属製のアースボンディング部と
を含むことを特徴とする画像形成装置。
【請求項２】
請求項１に記載の画像形成装置であって、
前記アースボンディング部は、
前記収納部の端部分に形成され、前記蓋部材に向けて突出した突出部と、
前記蓋部材に接合され、前記突出部に圧着するアース強化部と
を有することを特徴とする画像形成装置。
【請求項３】
請求項２に記載の画像形成装置であって、
前記基板類は、電源基板とコントローラ基板とを含み、
前記アースボンディング部は、
前記収納部の側壁の端部分に形成され、前記蓋部材に当接可能に構成された段曲げ部と、
前記アース強化部に形成され、前記コントローラ基板の配置側に設けられた圧着部と
を有することを特徴とする画像形成装置。
【発明の詳細な説明】
【技術分野】
【０００１】
本発明は、複写機やプリンタ、ファクシミリ等に代表される画像形成装置に関する。
【背景技術】
【０００２】
この種の画像形成装置には電源ボックスユニットが備えられ、このユニットは内部機器に電力を供給して所望の画像を形成させる。詳しくは、このユニットには電源基板やコントローラ基板等の基板類が収納されており、電子写真プロセスを用いる画像形成装置では、感光体ドラムを予め帯電し、このドラムの表面にレーザ光を照射して静電潜像を形成する。そして、トナー画像を用紙に転写及び定着する（例えば、特許文献１参照）。
また、この装置では、その性能や機能の改良・向上を図るべく、電源ボックスユニットから基板類を抜き差しすることが求められており、蓋部材を有するユニットも知られている。
【０００３】
【特許文献１】特開２００５−２２７７２４号公報（図５）
【発明の開示】
【発明が解決しようとする課題】
【０００４】
ところで、上述した蓋部材は電源ボックスユニットを開閉可能に構成されているものの、多数のビスを用いてユニットの端部分に固定されるので、基板類を容易には抜き差しできないとの問題がある。
【０００５】
一方、これら多数のビスを省略することも考えられるが、このビスは他の役割を担っている点に留意しなければならない。すなわち、これらユニットの端部分と蓋部材とをビスで確実に接触させなければ、電源や各種の信号ケーブル等から漏洩し得る電波ノイズのシールドが困難になり、装置の誤動作を招きかねないからである。
【０００６】
そこで、本発明の目的は、上記課題を解消し、基板類の抜き差しを容易にしつつ、電波ノイズのシールドも達成可能な画像形成装置を提供することである。
【課題を解決するための手段】
【０００７】
上記目的を達成するための第１の発明は、画像形成装置本体に配置され、所望の画像を形成すべく内部機器に電力を供給する電源ボックスユニットを具備し、ユニットは、電気回路が形成された基板類を収納する金属製の収納部と、装置本体の外部と収納部とを区画し、基板類を外部から容易に抜き差しすべく収納部に対して少なくとも１点で締結され、収納部を開閉可能な金属製の蓋部材と、蓋部材と収納部との間に介装され、蓋部材と収納部との電気的な接地を確保する金属製のアースボンディング部とを含む。
【０００８】
第１の発明によれば、電源ボックスユニットは、基板類を収納する収納部と、この収納部を開閉可能な蓋部材とから構成され、この蓋部材は収納部に対して少なくとも１点で締結されているので、基板類を装置本体の外部から容易に抜き差し可能となる。
一方、この場合には、電波ノイズを防止するための接地が必要になるが、アースボンディング部が蓋部材と収納部との電気的な接地を確保することによってシールド性が向上する。これらの結果、基板類の抜き差しを容易にしつつ、電波ノイズのシールドも達成可能となる。
【０００９】
第２の発明は、第１の発明の構成において、アースボンディング部は、収納部の端部分に形成され、蓋部材に向けて突出した突出部と、蓋部材に接合され、突出部に圧着するアース強化部とを有することを特徴とする。
第２の発明によれば、第１の発明の作用に加えてさらに、蓋部材にはアース強化部が設けられており、蓋部材と収納部との締結によってアース強化部と収納部の突出部とが圧着することから、シールド性がさらに向上する。
【００１０】
第３の発明は、第２の発明の構成において、基板類は、電源基板とコントローラ基板とを含み、アースボンディング部は、収納部の側壁の端部分に形成され、蓋部材に当接可能に構成された段曲げ部と、アース強化部に形成され、コントローラ基板の配置側に設けられた圧着部とを有することを特徴とする。
第３の発明によれば、第２の発明の作用に加えてさらに、蓋部材と収納部との接触を要する箇所に段曲げ部や圧着部が設けられているので、シールド性がより一層向上可能となる。
【発明の効果】
【００１１】
本発明によれば、基板類の抜き差しが容易になり、且つ、電波ノイズのシールドも達成可能な画像形成装置を提供することができる。
【発明を実施するための最良の形態】
【００１２】
以下、本発明の好適な実施の形態を図面に基づいて説明する。
図１には、画像形成装置の一例であるプリンタ１の構造が概略的に示されている。同図に示された断面はプリンタ１の左側面からみたものである。このため、プリンタ１の前面は同図中の右側に、背面は左側にそれぞれ位置する。
【００１３】
同図に示されるように、プリンタ１の装置本体２の内部下方には、用紙収納装置４が配置されている。この収納装置４にはベースカセット６が装備され、このカセット６の内部には、枚葉の用紙Ｐが積層された状態で収納されている。そして、この用紙Ｐは、同図においてカセット６の右上方に向けて送出され、送出された用紙Ｐは、装置本体２の内部で背面側へ向けて反転され、そのまま背面側に向けて搬送される。また、このカセット６は、同図において右方向に向けて引き出し可能に構成されており、この引き出した状態にて、カセット６内に新たな用紙Ｐを補充したり、用紙Ｐを別の種類の用紙に入れ替え可能となる。
【００１４】
装置本体２の内部には、用紙収納装置４からの用紙搬送方向でみて下流側にフィードローラ１０、給紙用の用紙搬送路１２、レジストローラ１４、画像形成部１６及び転写部９０が順番に配置されている。画像形成部１６にはその中心部分に感光体ドラム１８が備えられている。また、この画像形成部１６の上方には光学部１５が備えられており、このユニット１５からは、図中に一点鎖線で示されているように、レーザ光Ｌがドラム１８に向けて照射される。さらに、転写部９０には転写ローラ９１が備えられ、このローラ９１は、ドラム１８に下方から圧接し、トナー補給装置２０及び現像器２１から供給されたトナーを用い、トナー像を用紙Ｐに転写するための転写ニップ部を形成させる。
【００１５】
また、用紙搬送方向でみて画像形成部１６及び転写部９０の下流側には、定着部９２、排出用の用紙搬送路９４及び用紙排出部９６が順番に配置されている。この用紙搬送路９４は、定着部９２の下流から装置本体２の背面に沿って上方へ延びており、さらに、装置本体２の上部位置にて前面側へ屈曲されている。用紙排出部９６は、装置本体２の上面に形成されており、この位置で用紙搬送路９４の終端から排出された用紙Ｐを受け取り、高さ方向に積層することができる。この用紙排出部９６に収納された印刷済みの用紙Ｐは、外部から容易に取り出し可能である。
【００１６】
一方、転写部９０及び定着部９２の下方であって、用紙収納装置４との間には両面印刷用の用紙搬送路９８が形成されている。この用紙搬送路９８は、装置本体２の背面に沿う位置にて用紙搬送路９４の途中から分岐して下方に延びている。また、この用紙搬送路９８は、装置本体２の内部で前面側へ屈曲されて水平方向に延び、給紙部８のすぐ下流位置にて用紙搬送路１２に合流されている。
【００１７】
ここで、用紙収納装置４の下方には本実施例の電源ボックスユニット３０が配置されている。具体的には、図１の他、図２や図３及び図５にも示されるように、ユニット３０は平面視で略四角形状をなす収納部４０を有し、収納部４０は板金で構成され、その後端部分、つまり、プリンタ１の背面側が蓋部材５０にて覆われている。
収納部４０の両側部分には側壁４４，４６が、さらに、収納部４０の前端部分には端壁４８がそれぞれ上方に向けて形成されている。なお、側壁４４，４６の後端部分には、プリンタ１の側面に向けて延出された支持部４５，４７が設けられており、これら支持部４５，４７の適宜位置には各支持部４５，４７を貫通する孔がそれぞれ穿設されている。
【００１８】
略四角形状をなす収納部４０の底面部分は装置本体２の底面をなして構成されている。より具体的には、この底面部分において、側壁４４の近傍部分には電源基板側の載置面４１が形成されている。この載置面４１には図示しない電源基板が収納され、この基板には、上述した画像形成部１６を初めとする各内部機器に電力を供給する所望の電気回路が形成されている。なお、この載置面４１の後端部分には立ち壁４２が設けられている。
一方、上記底面部分において、側壁４６の近傍部分にはコントローラ基板側の載置面４３が形成されており、この載置面４３にも図示しないコントローラ基板等が収納されている。詳しくは、このコントローラ基板は蓋部材５０に差し込まれており、この基板にも所望の電気回路が形成され、上述した光学部１５等の各内部機器に各種の信号が出力される。
【００１９】
蓋部材５０は装置本体２の外部と収納部４０とを区画して構成されている。詳しくは、この蓋部材５０は、正面視で略四角形状をなす閉塞面５１を有しており、電源基板側の載置面４１に対峙した箇所には電源ケーブル用の開口５２が、コントローラ基板側の載置面４３に対峙した箇所にはコネクタ用の開口５３がそれぞれ穿設されている。また、閉塞面５１の両端には固定部５５，５７が形成され、これら固定部５５，５７が支持部４５，４７に対峙する。また、固定部５５，５７の適宜位置にも各固定部５５，５７を貫通する孔がそれぞれ穿設されている。なお、上述したコントローラ基板は閉塞面５１において開口５３と固定部５７との間の適宜位置に配設されている。
【００２０】
そして、この蓋部材５０は収納部４０を容易に開閉可能に構成される。具体的には、本実施例では２つのビス５４，５６が固定部５５，５７及び支持部４５，４７の各孔に挿入されることにより蓋部材５０と収納部４０とが締結され、一方、２つのビス５４，５６が固定部５５，５７及び支持部４５，４７の各孔から抜き出されることにより蓋部材５０と収納部４０との締結が容易に解除される。
【００２１】
ところで、本実施例では、収納部４０と蓋部材５０との間には板金で構成されたアースボンディング部６０が介装されている。これは、ビスの数の減少により収納部４０と蓋部材５０との締結力が弱くなり、これらの電気的な接地が確保され難くなる点を鑑みたものである。
より具体的には、本実施例のアースボンディング部６０は、収納部４０に対して２つの構成が備えられている。まず、図６に示される如く、側壁４４，４６の後端部分には蓋部材５０に向けて突出した段曲げ部６２がそれぞれ形成されている。
【００２２】
次に、図５や図６に示されるように、収納部４０の後端部分、詳しくは、コントローラ基板側の載置面４３の後端部分には蓋部材５０に向けて突出した突出部６４が形成されており、この突出部６４は段曲げ部６２よりも後側に向けてさらに突出している。
なお、突出部６４がコントローラ基板側の載置面４３の後端部分にのみ存在し、電源基板側の載置面４１の後端部分に存在していないのは、この載置面４１には立ち壁４２があり、この立ち壁４２を介して蓋部材５０と収納部４０とが接触するからである。
【００２３】
一方、アースボンディング部６０は、蓋部材５０に対して２つの構成が備えられている。まず、蓋部材５０の下端部分にはアース強化部７０が設けられている。このアース強化部７０は複数の圧着部７４を有し、この圧着部７４は、図５、図６や図７に示される如く、下方向に向けて延出して形成されている。より詳しくは、この圧着部７４は、その上端が固定部７２に固定されるのに対し、その下端が自由となる片持ち構造をなしており、この下端が撓むことにより弾性変形が可能である。なお、固定部７２はリベット７３を介して閉塞面５１に接合される（図３、図５）。
【００２４】
次に、この圧着部７４の形成範囲はコントローラ基板側の載置面４３の範囲とされ、電源基板側の載置面４１の範囲には存在していない。これは、上述した突出部６４の形成範囲と同様に、電源基板側の載置面４１には立ち壁４２が存在しているからである。
【００２５】
そして、再び図１に戻り、上記電源ボックスユニット３０から電力等が供給されたプリンタ１では、印刷前の用紙Ｐはベースカセット６に積層された状態で収納されており、プリンタ１が印刷を行う際は、カセット６から給紙部８により用紙Ｐが１枚ずつ分離して送出される。送出された用紙Ｐは、用紙搬送路１２を通ってレジストローラ１４に到達する。このローラ１４は、用紙Ｐの斜め送りを矯正しつつ、画像形成部１６で形成されるトナー画像とのタイミングを計りながら、用紙Ｐを転写部９０へと送出する。
【００２６】
プリンタ１には図示しないコンピュータから画像データが送信される。この画像データは、文字や符号、図形、記号、線図、模様等の各種の画像がデータ化されたものであり、このデータに基づき、プリンタ１では光学部１５によるレーザ光Ｌの照射が制御される。これにより、画像形成部１６において感光体ドラム１８上に原稿画像の静電潜像が作られ、続いてこの静電潜像からドラム１８上にトナー画像が形成される。このトナー画像はドラム１８とローラ９１との間の転写ニップ部にて用紙Ｐに転写される。
【００２７】
その後、用紙Ｐは未定着トナー画像を担持した状態で定着部９２に向けて送られ、この定着部９２にて熱ローラによりトナー画像が定着される。次いで、定着部９２から排出された用紙Ｐは、用紙搬送路９４を通って上方へ送られ、用紙排出部９６に排出される。
【００２８】
この片面印刷に対し、プリンタ１において両面印刷を行う場合には、定着部９２から排出された用紙Ｐは、用紙排出部９６に排出される直前にてその搬送方向が切り替えられる。つまり、片面に印刷された用紙Ｐは用紙搬送路９４内に引き戻され、用紙搬送路９８内に搬送される。続いて、この用紙Ｐは、給紙部８のすぐ下流にて用紙搬送路１２に合流し、再び転写部９０に向けて送られる。このとき、用紙Ｐは印刷済みの面が下を向いた状態にあるので、再び転写部９０に送られた際は、用紙Ｐの未だ印刷がされていない方の面にトナー画像が転写される。
【００２９】
以上のように、本実施例によれば、電源ボックスユニット３０は、電源基板やコントローラ基板等の基板類を収納する収納部４０と、この収納部４０を開閉可能な蓋部材５０とから構成され、この蓋部材５０は収納部４０の後端部分にて２つのビス５４，５６のみで締結されているので、基板類、特に、コントローラ基板を装置本体２の外部から容易に抜き差し可能となる。これにより、プリンタの性能や機能の改良・向上が速やかに達成可能となる。
一方、この場合には、電波ノイズを防止するための接地が必要になるが、アースボンディング部６０が蓋部材５０と収納部４０との電気的な接地を確保していることによってシールド性が向上する。これらの結果、基板類の抜き差しを容易にしつつ、電波ノイズのシールドも達成可能となり、このノイズによる誤動作の懸念もない。
【００３０】
また、収納部４０には段曲げ部６２が形成されており（図６）、閉塞面５１と側壁４４，４６との確実な接触が図られているので、蓋部材５０と収納部４０とのシールド性の向上に寄与する。
さらに、この収納部４０には突出部６４も形成され（図４、図６）、この突出部６４は段曲げ部６２よりも蓋部材５０に向けて突出し、アース強化部７０と突出部６４とのより確実な接触が図られていることから、蓋部材５０と収納部４０とのシールド性がさらに向上する。
【００３１】
さらにまた、蓋部材５０には弾性変形可能な圧着部７４が形成され（図６、図７）、圧着部７４と突出部６４とのより一層確実な接触が図られており、蓋部材５０と収納部４０とのシールド性がより一層向上する。しかも、この圧着部７４の形成範囲はコントローラ基板側の載置面４３の範囲であることから（図３、図５）、アース強化部７０の大きさも小さくて済む。
【００３２】
本発明は、上記実施の形態に限定されず、特許請求の範囲を逸脱しない範囲で種々の変更を行うことができる。
例えば、上記実施例では、蓋部材５０と収納部４０とが２つのビス５４，５６で締結されているが、必ずしもこの形態に限定されるものではなく、これら蓋部材５０と収納部４０とは１点で締結されていても良い。これは、締結位置や蓋部材等の形状を変更することにより達成可能である。この場合にも上記と同様に、基板類の抜き差しを容易にしつつ、電波ノイズのシールドも達成できるとの効果を奏する。
【００３３】
また、上記実施例では画像形成装置としてプリンタに具現化した例を示しているが、本発明の画像形成装置は複写機やファクシミリ等にも当然に適用可能である。
【図面の簡単な説明】
【００３４】
【図１】本実施例に係るプリンタの概略構成図である。
【図２】図１のプリンタにおける電源ボックスユニットの説明図である。
【図３】図２のユニットの一部分を示した斜視図である。
【図４】図３の側面図である。
【図５】図２のユニットの一部分を示した分解斜視図である。
【図６】図５の側面図である。
【図７】図５のアース強化部材の斜視図である。
【符号の説明】
【００３５】
１  プリンタ（画像形成装置）
２  装置本体
１５  光学部
１６  画像形成部
２１  現像器
３０  電源ボックスユニット
４０  収納部
４１  電源基板側の載置面
４３  コントローラ基板側の載置面
５０  蓋部材
５４，５６  ビス
６０  アースボンディング部
６２  段曲げ部
６４  突出部
７０  アース強化部
７４  圧着部
９０  転写部
９２  定着部
【図１】
2008185773.tif 000003
【図２】
2008185773.tif 000004
【図３】
2008185773.tif 000005
【図４】
2008185773.tif 000006
【図５】
2008185773.tif 000007
【図６】
2008185773.tif 000008
【図７】
2008185773.tif 000009